(57)【要約】【課題】被固定部が脱落する可能性を低減することにより、防火建具の防火性能を向上させること。【解決手段】扉体２０に形成した開口部２８に配置した複層ガラス２９を、扉体２０における開口部２８の周縁に設けた固定枠６０と、扉体２０又は固定枠６０に固定される押縁７０とにより、挟持するように構成された防火断熱玄関ドアであって、温度上昇によって押縁７０が変形することにより複層ガラス２９が開口部２８から脱落することを防止する防火材８０を備える。この防火材８０を、押縁７０を形成する第１材よりも融点が高い第２材によって、複層ガラス２９の全長に対応する長尺部材として形成する。また、防火材８０を、複層ガラス２９における押縁７０側の見付面の端部を覆うように、扉体２０に固定する。【選択図】図５
2014214545.tif 000002
【特許請求の範囲】
【請求項１】
建具本体に形成した開口部に配置した被固定部を、前記建具本体における前記開口部の周縁に設けた固定枠と、前記建具本体又は前記固定枠に固定される押縁とにより、挟持するように構成された防火建具であって、
温度上昇によって前記押縁が変形することにより前記被固定部が前記開口部から脱落することを防止する防火手段を備え、
前記防火手段を、前記押縁を形成する第１材よりも融点が高い第２材によって、前記被固定部の全長に対応する長尺部材として形成し、
前記防火手段を、前記被固定部における前記押縁側の見付面の端部を覆うように、前記建具本体に固定した、
防火建具。
【請求項２】
前記防火手段に、温度上昇によって膨張することにより当該防火手段と前記被固定部との相互間の隙間を減少させる耐火性の膨張手段を設けた、
請求項１に記載の防火建具。
【請求項３】
前記建具本体は、前記押縁を形成する前記第１材よりも融点が高い第３材によって形成された枠材を備え、
前記防火手段を、前記建具本体の前記枠材に固定した、
請求項１又は２に記載の防火建具。
【請求項４】
前記防火手段を、前記建具本体と前記押縁との相互間において、前記押縁を前記建具本体に固定するための固定手段を介して、前記建具本体に固定した、
請求項１から３のいずれか一項に記載の防火建具。
【請求項５】
前記防火手段を、前記被固定部の近傍位置において、前記押縁に係止させた、
請求項１から４のいずれか一項に記載の防火建具。
【請求項６】
温度上昇によって前記固定枠が変形することにより前記被固定部が前記開口部から脱落することを防止する第２防火手段を備え、
前記第２防火手段を、前記固定枠を形成する第４材よりも融点が高い第５材によって、前記被固定部の全長に対応する長尺部材として形成し、
前記第２防火手段を、前記被固定部における前記固定枠側の見付面の端部を覆うように、前記建具本体に固定した、
請求項１から５のいずれか一項に記載の防火建具。
【発明の詳細な説明】
【技術分野】
【０００１】
本発明は、建物に取り付けられる防火建具に関する。
【背景技術】
【０００２】
従来、玄関ドアとして、扉体に扉窓を設けることにより意匠性や採光性を高めた窓付きドアが普及している。例えば、特許文献１には、ドアパネルに採光窓を設けた採光窓付きドアが開示されている。この採光窓付きドアは、ドアパネルに形成した開口部の周囲にアルミニウム合金製の室外側額縁と室内側額縁を設け、これら室外側額縁と室内側額縁との相互間にガラス板を固定して構成されている（例えば、特許文献１の段落０００５〜０００８及び図１、２参照）。
【先行技術文献】
【特許文献】
【０００３】
【特許文献１】特開２０００−１０４４５９号公報
【発明の概要】
【発明が解決しようとする課題】
【０００４】
従来、このように構成された採光窓付きドアの一つとして、防火性能が高められた防火窓付きドアも普及していた。しかしながら、近年は、建具に一層高い防火性能が求められるようになってきており、防火窓付きドアに関しても防火性能の観点から一層の改善が求められていた。例えば、防火窓付きドアの室外側や室内側において火災が発生した場合には、火災の熱によって室外側額縁や室内側額縁が熱せられることにより、これら室外側額縁や室内側額縁の温度が上昇することになるが、これら室外側額縁や室内側額縁を形成しているアルミニウム合金の融点は６００℃前後であって金属類の中でも比較的低温であるため、室外側額縁や室内側額縁の強度が低下する可能性があった。このように強度が低下した場合には、室外側額縁や室内側額縁が変形し易くなるため、これら室外側額縁や室内側額縁によってガラス板をドアパネルの開口部に固定するための固定力が低下し、ドアパネルからガラス板が脱落し易くなることで、防火窓付きドアの防火性能が低下する可能性があった。
【０００５】
本発明は、上記従来技術における課題を解決するためのものであって、防火窓付きドアの如き防火建具において、ガラス板の如き被固定部が脱落する可能性を低減することにより、防火建具の防火性能を向上させることを目的とする。
【課題を解決するための手段】
【０００６】
上述した課題を解決し、目的を達成するために、請求項１に記載の防火建具は、建具本体に形成した開口部に配置した被固定部を、前記建具本体における前記開口部の周縁に設けた固定枠と、前記建具本体又は前記固定枠に固定される押縁とにより、挟持するように構成された防火建具であって、温度上昇によって前記押縁が変形することにより前記被固定部が前記開口部から脱落することを防止する防火手段を備え、前記防火手段を、前記押縁を形成する第１材よりも融点が高い第２材によって、前記被固定部の全長に対応する長尺部材として形成し、前記防火手段を、前記被固定部における前記押縁側の見付面の端部を覆うように、前記建具本体に固定した、防火建具。
【０００７】
請求項２に記載の防火建具は、請求項１に記載の防火建具において、前記防火手段に、温度上昇によって膨張することにより当該防火手段と前記被固定部との相互間の隙間を減少させる耐火性の膨張手段を設けた。
【０００８】
請求項３に記載の防火建具は、請求項１又は２に記載の防火建具において、前記建具本体は、前記押縁を形成する前記第１材よりも融点が高い第３材によって形成された枠材を備え、前記防火手段を、前記建具本体の前記枠材に固定した。
【０００９】
請求項４に記載の防火建具は、請求項１から３のいずれか一項に記載の防火建具において、前記防火手段を、前記建具本体と前記押縁との相互間において、前記押縁を前記建具本体に固定するための固定手段を介して、前記建具本体に固定した。
【００１０】
請求項５に記載の防火建具は、請求項１から４のいずれか一項に記載の防火建具において、前記防火手段を、前記被固定部の近傍位置において、前記押縁に係止させた。
【００１１】
請求項６に記載の防火建具は、請求項１から５のいずれか一項に記載の防火建具において、温度上昇によって前記固定枠が変形することにより前記被固定部が前記開口部から脱落することを防止する第２防火手段を備え、前記第２防火手段を、前記固定枠を形成する第４材よりも融点が高い第５材によって、前記被固定部の全長に対応する長尺部材として形成し、前記第２防火手段を、前記被固定部における前記固定枠側の見付面の端部を覆うように、前記建具本体に固定した。
【発明の効果】
【００１２】
請求項１に記載の防火建具によれば、押縁を形成する第１材よりも融点が高い第２材によって形成された防火手段によって、被固定部における押縁側の見付面の端部を抑えることができるので、防火建具の周囲で発生した火災の熱によって押縁が熱せられ、押縁が変形等した場合であっても、建具本体の開口部への被固定部の固定状態を防火手段によって維持することができ、被固定部が押縁側から脱落する可能性を低減することができるので、防火建具の防火性能を向上させることが可能になる。また、防火手段を被固定部の全長に対応する長尺部材として形成したので、被固定部の側方を介して、火災の炎が防火建具の反対側に廻り込むことを防止することができる。
【００１３】
また、請求項２に記載の防火建具によれば、防火建具の周囲で発生した火災の熱によって押縁が熱せられる状況においては、この熱によって耐火性の膨張手段が膨張して防火手段と前記被固定部との相互間の隙間を減少させるため、この隙間を介して火災の炎が防火建具の反対側に廻り込む可能性を低減することができるので、防火建具の防火性能を一層向上させることが可能になる。
【００１４】
また、請求項３に記載の防火建具によれば、押縁を形成する第１材よりも融点が高い第３材によって形成された枠材に防火手段を固定したので、防火建具の周囲で発生した火災の熱によって押縁が熱せられ、押縁が変形等した場合であっても、建具本体に対する防火手段の固定構造を維持することができるので、防火建具の防火性能を一層向上させることが可能になる。
【００１５】
また、請求項４に記載の防火建具によれば、押縁を建具本体に固定するための固定手段を介して防火手段を建具本体に固定したので、押縁と防火手段とを一括的に固定手段を介して建具本体に取り付けることができ、あるいは、押縁と防火手段とを一括的に固定手段を介して建具本体から取り外すことができるので、防火手段の施工が容易になる。
【００１６】
また、請求項５に記載の防火建具によれば、防火手段を押縁に係止させたので、例えば、防火建具における押縁とは反対側で火災が発し、この火災の熱によって押縁の温度が上昇して変形等しようとした場合においても、押縁に対する防火手段の係止力によって押縁の変形を抑制することができ、防火建具の防火性能を一層向上させることが可能になる。特に、防火手段を被固定部の近傍位置において押縁に係止させたので、押縁が被固定部から離れることを効果的に防止することができ、防火建具の防火性能を一層向上させることが可能になる。また、防火手段を押縁に係止させることで、防火建具の扉体の開閉等に伴って防火手段が不用意に振動することを防止でき、防火手段が振動して押縁や被固定部に当たって振動音を発生させるようなことを防止することができる。
【００１７】
また、請求項６に記載の防火建具によれば、固定枠を形成する第４材よりも融点が高い第５材によって形成された第２防火手段によって、被固定部における固定枠側の見付面の端部を、被固定部の全長に渡って抑えることができるので、防火建具の周囲で発生した火災の熱によって固定枠が熱せられ、固定枠が変形等した場合であっても、建具本体の開口部への被固定部の固定状態を第２防火手段によって維持することができ、被固定部が固定枠側から脱落する可能性を低減することができるので、防火建具の防火性能を向上させることが可能になる。
【図面の簡単な説明】
【００１８】
【図１】本発明の実施の形態１に係る防火断熱玄関ドアの正面図である。
【図２】図１の防火断熱玄関ドアの背面図である。
【図３】図１の防火断熱玄関ドアのＡ−Ａ矢視断面図である。
【図４】図１の防火断熱玄関ドアのＢ−Ｂ矢視断面図である。
【図５】図３のＣ部分の拡大図である。
【図６】図４のＤ部分の拡大図である。
【図７】本発明の実施の形態２に係る防火断熱玄関ドアを示す図であり、図６に対応する部分を示す拡大図である。
【発明を実施するための形態】
【００１９】
以下に添付図面を参照して、本発明に係る各実施の形態を詳細に説明する。最初に、各実施の形態に共通の基本的概念について説明し、次に、各実施の形態の具体的内容について順次説明し、最後に、各実施の形態に対する変形例について説明する。ただし、各実施の形態によって本発明が限定されるものではない。
【００２０】
〔各実施の形態に共通の基本的概念〕
最初に、各実施の形態に共通の基本的概念について説明する。各実施の形態は、防火建具に関するものである。ここで、「建具」とは、建物の開口部に設けられる仕切りであり、扉体や窓パネルの如き可動体を備えている「開閉ドア」や「開閉窓」等と、扉体や窓パネルの如き可動体を備えていない「嵌め殺し窓」等を含む。「建具」の取り付け位置や用途は任意であり、例えば、建具が「ドア」である場合には、玄関に設置される「玄関ドア」、勝手口や通用口に設置される「勝手口ドア」、あるいは建物内部に設置されるための「室内ドア」を含み、建具が「窓」である場合には、外壁に設置される「外窓」、あるいは室内に設置される「室内窓」を含む。
【００２１】
特に、各実施の形態の「建具」は「防火建具」として構成されている。この「防火建具」は、当該防火建具が販売や使用等される国の法令で規定されている防火基準を充足する防火性能を備えた建具であり、例えば、建具が「ドア」である場合には、「防火断熱玄関ドア」や「防火扉」が該当し、建具が「窓」である場合には、「防火窓」が該当する。
【００２２】
この防火建具の建具本体には被固定部が固定されている。ここで、「建具本体」とは、防火建具の主要構成要素であり、例えば、建具が「ドア」である場合には、「扉体」であり、建具が「窓」である場合には、「窓パネル」である。また、「被固定部」とは、建具の意匠性や採光性を向上させる等の任意の目的で建具本体に固定されるものであり、代表的には、「単層ガラス」、「複層ガラス」、「透明樹脂パネル」、又は「半透明樹脂パネル」等の透光部であるが、非透光部であってもよい。
【００２３】
以下、各実施の形態では、「防火建具」が「防火断熱玄関ドア」であり、「建具本体」が「扉体」であり、「被固定部」が「複層ガラス」である場合について例示する。
【００２４】
〔実施の形態１〕
次に、実施の形態１の具体的内容について説明する。この形態は、押縁側に防火手段を設けた形態である。
【００２５】
図１は、実施の形態１に係る防火断熱玄関ドアの正面図、図２は、図１の防火断熱玄関ドアの背面図、図３は、図１の防火断熱玄関ドアのＡ−Ａ矢視断面図、図４は、図１の防火断熱玄関ドアのＢ−Ｂ矢視断面図である。以下では、図１〜４に示す各方向のうち、Ｘ方向を右方向、Ｘ’方向を左方向、Ｙ方向を前方向（又は屋外側方向若しくは開放方向）、Ｙ’方向を後方向（又は、屋内側方向若しくは閉鎖方向）、Ｚ方向を上方向、Ｚ’方向を下方向、と称する。また、図３のようにＹ−Ｚ平面に平行な断面を「縦断面」、図４のようにＸ−Ｙ平面に平行な断面を「横断面」と称する。
【００２６】
これら図１、２に示すように、防火断熱玄関ドア１は、枠体１０、扉体２０、及び外装パネル３０を備えて構成されている。ただし、防火断熱玄関ドア１は、以下に特記する事項を除いて、公知の防火断熱玄関ドアと同様に構成することができるものとする。
【００２７】
（枠体）
枠体１０は、建物の開口部２に設けられるものであり、左右一対の縦枠１１、１２、上枠１３、及び下枠１４を備えている。これら左右一対の縦枠１１、１２、上枠１３、及び下枠１４は、それぞれ開口部の周縁における建物の躯体３に公知の方法で直接的に固定され、相互に組み合わせられて、全体として正面角環状の枠を構成する。以下では、必要に応じて、一対の縦枠１１、１２のうち、扉体２０の戸先側（扉体２０の左右のうち、後述する蝶番２５から遠い側であり、本実施の形態においては左側）の縦枠１１を「戸先側縦枠」１１と称し、扉体２０の戸尻側（扉体２０の左右のうち、蝶番２５に近い側であり、本実施の形態においては右側）の縦枠１２を「戸尻側縦枠」１２と称する。このうち、戸先側縦枠１１には、扉体２０を全閉位置（本実施の形態においては図１〜４に示す位置）に位置させた状態において、デッドボルト受けとラッチ受け（いずれも図示省略）が設けられている。
【００２８】
また、この枠体１０は、防火断熱玄関ドア１に断熱性を持たせるための断熱構造で構成されている。具体的には、図３、４に示すように、戸先側縦枠１１は外側縦枠１１ａと内側縦枠１１ｂ、戸尻側縦枠１２は外側縦枠１２ａと内側縦枠１２ｂ、上枠１３は外側上枠１３ａと内側上枠１３ｂに、それぞれ分割構成されており、これら外側縦枠１１ａと内側縦枠１１ｂとの相互間に断熱形材１１ｃ、外側縦枠１２ａと内側縦枠１２ｂとの相互間に断熱形材１２ｃ、外側上枠１３ａと内側上枠１３ｂとの相互間に断熱形材１３ｃ、をそれぞれ介在させることで、室外側と室内側の相互間における熱伝導を低減している。
【００２９】
このような枠体１０を構成する各部材は、任意の方法や材質で製造することができ、例えば、アルミニウム合金を押出成形することにより製造することができる。
【００３０】
（扉体）
扉体２０は、建物の開口部２を開閉するための平板状の開閉体である。この扉体２０は、任意の方法や材質で製造することができるが、本実施の形態においては、複数のスチール製の枠材から正面方形環状に枠組みされた扉枠２１を、その屋外側及び屋内側に配置した一対の化粧鋼板２２、２３で外側から覆い、これら一対の化粧鋼板２２、２３の相互間に断熱材２４を収容して構成されている。このように構成された扉体２０は、図１、２に示すように、当該扉体２０の戸尻側の側面において、上下方向における３箇所に配置された蝶番２５を介して、戸尻側縦枠１２に回動自在に軸支されている。また、扉体２０の戸先側の近傍位置には、把手２６、ラッチ（図示省略）、及びシリンダ錠２７が設けられている。把手２６は、扉体２０の前面と後面における相互に対応する位置に設けられており、この把手２６を介してユーザが扉体２０の開閉操作を行うことが可能となっている。ラッチは、扉体２０の内部に設けられた連動機構（図示省略）を介して把手２６と連結されており、ユーザによる把手２６の操作に連動して、ラッチを扉体２０の戸先側の側面から出し入れすることができ、扉体２０を全閉位置に位置させた状態において、このラッチを戸先側縦枠１１のラッチ受けに係脱自在に係止させることで、施錠の有無に関わらず、扉体２０を全閉位置に維持することが可能になっている。また、シリンダ錠２７は、扉体２０の把手２６の近傍位置に設けられており、ユーザが扉体２０の前方から鍵操作を行うことにより、あるいはユーザが扉体２０の後方からサムターン２７ａの操作を行うことにより、デッドボルト（図示省略）を扉体２０の戸先側の側面から出し入れすることができ、扉体２０を全閉位置に位置させた状態において、このデッドボルトを戸先側縦枠１１のデッドボルト受けに係止させることで、扉体２０を施錠することができる。
【００３１】
（扉体−扉窓）
この扉体２０には、防火断熱玄関ドア１の意匠性や採光性を高める等の目的から、扉窓４０が設けられている。以下、この扉窓４０の構成について説明する。図５は、図３のＣ部分の拡大図、図６は、図４のＤ部分の拡大図である。図１〜６に示すように、扉窓４０は、概略的には、扉体２０に形成した開口部２８に複層ガラス２９を固定することによって構成されている。具体的には、扉体２０の左右及び上下の中央位置に、正面形状が縦長長方形状の開口部２８が形成されており、この開口部２８の四周の各辺には、枠材としての扉窓枠４３が配置されている。また、この開口部２８の周縁のうち、上縁には、図５に示すように、固定枠６０Ａ、及び押縁７０Ａが設けられている。また、開口部２８の周縁のうち、左側縁には、図６に示すように、固定枠６０Ｂ、及び押縁７０Ｂが設けられている。なお、開口部２８の周縁のうち、下縁の周辺構造は複層ガラス２９を挟んで上縁の周辺構造と対称であり、右縁の周辺構造は複層ガラス２９を挟んで左縁の周辺構造と対称であるため、これらの説明は省略する（後述する防火材８０及び膨張材９０、９１についても同じ）。また、固定枠６０Ａと固定枠６０Ｂを相互に区別する必要がない場合には「固定枠６０」、押縁７０Ａと押縁７０Ｂを相互に区別する必要がない場合には「押縁７０」と、それぞれ総称する。
【００３２】
（扉体−扉窓−固定枠）
固定枠６０は、複層ガラス２９を固定するための固定構造の一部であり、当該固定枠６０が配置された開口部２８の上縁又は左側縁の全長に対応した長さの長尺部材として形成されている。この固定枠６０は、固定内枠６１及び固定外枠６２を一体形成して構成されている。
【００３３】
固定内枠６１は、複層ガラス２９の見込面（複層ガラス２９を屋外側又は屋内側から見た時に見えない面であり、Ｘ−Ｙ平面又はＹ−Ｚ平面に平行な面）に平行な向きで、扉窓枠４３と複層ガラス２９の相互間に配置されており、扉体２０の外部に露出しないようになっている。
【００３４】
一方、固定外枠６２は、複層ガラス２９の見付面（複層ガラス２９を屋外側又は屋内側から見た時に見える面であり、Ｘ−Ｚ平面に平行な面）に平行な向きで、化粧鋼板２２よりも屋外側に配置されており、外装パネル３０の相互間の隙間を介して、扉体２０の外部に露出するようになっている。この固定外枠６２における複層ガラス２９側の端部近傍位置には、複層ガラス２９に向けて突出する気密材固定部６２ａが一体に形成されており、この気密材固定部６２ａには樹脂製の気密材６２ｂが嵌め込み固定されている。この気密材６２ｂは、複層ガラス２９の屋外側の見付面に当接することにより、複層ガラス２９と固定外枠６２との相互間の気密性を高めるためのものである。
【００３５】
また、左側縁の固定枠６０Ｂには、さらに外装パネル枠６３が一体形成されている。この外装パネル枠６３は、外装パネル３０を固定するための枠材である。具体的には、外装パネル枠６３は、固定外枠６２から扉体２０の戸尻側に至り、さらに屋外側に立ち上がるように形成されている。
【００３６】
このように形成された固定枠６０は、その長手方向の複数箇所において、固定ネジ４１と固定ネジ４２によって扉窓枠４３に固定されている。この固定枠６０の材質は任意であるが、軽量で加工性及び意匠性に優れた材質であることが好ましく、例えば、アルミニウム合金が採用される。
【００３７】
（扉体−扉窓−押縁）
押縁７０は、複層ガラス２９を固定するための固定構造の一部であり、当該押縁７０が配置された開口部２８の上縁又は左側縁の全長に対応した長さの長尺部材として形成されている。この押縁７０は、押縁本体７１と蓋部材７２を備えて構成されている。
【００３８】
押縁本体７１は、その長手方向に直交する断面が半楕円形状となるように形成されており、平坦状の側面が複層ガラス２９に近接すると共に、円弧状の側面が屋内側に露出するような向きで、配置されている。この円弧状の側面には、スリット７１ａが形成されており、その長手方向の複数箇所において、このスリット７１ａを介して押縁本体７１の内部に固定ネジ４１を挿入させ、この固定ネジ４１を、化粧鋼板２３、扉窓枠４３、及び固定内枠６１に順次ネジ込むことにより、押縁本体７１が扉体２０に固定されている。この押縁本体７１における複層ガラス２９側の端部近傍位置には、複層ガラス２９に向けて突出する気密材固定部７１ｂが一体に形成されており、この気密材固定部７１ｂには樹脂製の気密材７１ｃが嵌め込み固定されている。この気密材７１ｃは、複層ガラス２９の屋内側の見付面に当接することにより、複層ガラス２９と押縁本体７１との相互間の気密性を高めるためのものである。
【００３９】
一方、蓋部材７２は、平板状に形成されており、複層ガラス２９の見付面に対して平行な向きで、配置されている。この蓋部材７２には、押縁本体７１に向けて突出する係止爪７２ａが一体に形成されており、この係止爪７２ａを押縁本体７１のスリット７１ａを介して当該押縁本体７１の内部に挿入し、係止爪７２ａをスリット７１ａの周縁内側に係脱自在に係止させることにより、蓋部材７２が押縁本体７１に固定されている。このように蓋部材７２を押縁本体７１に固定することにより、固定ネジ４１が扉体２０の外部に露出しないようにすることができ、扉体２０の意匠性を高めることができる。
【００４０】
このように押縁７０の気密材７１ｃと上述した固定枠６０の気密材６２ｂとを介して、固定枠６０と押縁７０の相互間に複層ガラス２９を挟持することにより、この複層ガラス２９を扉体２０の開口部２８に固定している。なお、押縁７０の材質は任意であるが、固定枠６０の材質と同様に、軽量で加工性及び意匠性に優れた材質であることが好ましく、例えば、アルミニウム合金が採用される。
【００４１】
（扉体−扉窓−複層ガラス）
複層ガラス２９は、屋外側に配置された透明ガラス２９ａと、屋内側に配置された網入りガラス２９ｂとを、断熱空間部２９ｃを介して相互に平行に配置して構成されている。この複層ガラス２９としては、公知の複層ガラスを採用することができるので、その詳細な説明は省略する。
【００４２】
（外装パネル）
外装パネル３０は、防火断熱玄関ドア１の意匠性や耐火性を高める等の目的から設けられたもので、図１、３、５に示すように、扉体２０の屋外側に複数並設されている。これら複数の外装パネル３０の各々は、中空角筒状に形成された化粧鋼板３１の内部に断熱材３２を収容して構成されており、その左右方向の各端部において、固定枠６０の外装パネル枠６３に対して固定ネジ（図示省略）等にて固定されている。これら複数の外装パネル３０は、相互に一定間隔を隔てて配置されており、これら複数の外装パネル３０の相互間の隙間を介して、扉体２０が屋外側に露出する。
【００４３】
（防火材）
このように構成された防火断熱玄関ドア１には、図５、６に示すように、防火材８０が設けられている。この防火材８０は、温度上昇によって押縁７０が変形（一部のみが反る場合や、全体が溶融する場合を含む）することにより複層ガラス２９が開口部２８から脱落することを防止する防火手段である。すなわち、防火断熱玄関ドア１の室外側や室内側において火災が発生した場合には、火災の熱によって固定枠６０や押縁７０が熱せられることになり、これら固定枠６０や押縁７０を形成しているアルミニウム合金の融点は６００℃前後であって金属類の中でも比較的低温であるため、固定枠６０や押縁７０の強度が低下し、固定枠６０や押縁７０が変形する可能性がある。そして、このように固定枠６０や押縁７０が変形した場合には、扉体２０の開口部２８に複層ガラス２９を固定するための固定力が低下し、扉体２０から複層ガラス２９が脱落し易くなることで、防火断熱玄関ドア１の防火性能が低下する可能性がある。特に、室外側において火災が発生した場合には、炎や熱が外装パネル３０によってある程度遮断されるため、室外側に配置された固定枠６０の温度上昇が軽減されるが、室内側において火災が発生した場合には、炎や熱が室内側に配置された押縁７０に直接到達するため、この押縁７０が温度上昇により強度低下を起こす可能性がある。そこで、本実施の形態においては、温度上昇によって押縁７０が変形等した場合であっても、扉体２０から複層ガラス２９が脱落する可能性を低減するため、防火材８０を設けている。
【００４４】
この防火材８０の具体的な構造及び形状は、その所望の機能を果たす限りにおいて任意であるが、本実施の形態において、防火材８０は、図５、６に示すように、複層ガラス２９の見付面に平行に配置される平板部８１と、平板部８１から複層ガラス２９に近づく方向にわずかに屈曲するように延出された屈曲部８２とを一体に備えて、全体として「へ字」状の断面形状となるように形成されている。このように形成された防火材８０の具体的な配置位置は任意であるが、本実施の形態においては、防火材８０が、複層ガラス２９における押縁７０側の見付面の端部（例えば数ｃｍ程度）を覆うように配置されている。従って、押縁７０が火災時の熱によって変形等した場合であっても、この複層ガラス２９がその押縁７０側の見付面の端部において防火材８０によって支持されるので、扉体２０から複層ガラス２９が脱落する可能性を低減することができる。
【００４５】
この防火材８０は、複層ガラス２９を固定する目的のみを考慮すれば、短尺部材に形成した上で、複層ガラス２９に沿った複数箇所に相互に間隔を空けて並設するようにしてもよい。しかしながら、このように防火材８０を相互に間隔を空けて並設した場合には、防火材８０の相互間から火災の炎が入り込み、複層ガラス２９の側方を通って防火断熱玄関ドア１の反対側に廻り込む可能性があるために好ましくない。そこで、本実施の形態においては、防火材８０を複層ガラス２９の全長に対応する長尺部材として形成している。具体的には、開口部２８の上縁に配置される防火材８０は、複層ガラス２９の左右方向に沿った全長に対応する長尺部材として形成されており、開口部２８の左側縁に配置される防火材８０は、複層ガラス２９の上下方向に沿った全長に対応する長尺部材として形成されている。そして、このように長尺部材として形成した防火材８０を、化粧鋼板２３と複層ガラス２９との相互間の隙間を塞ぐように、これら化粧鋼板２３から複層ガラス２９に至る位置に配置している。具体的には、平板部８１を、化粧鋼板２３と押縁７０本体との相互間に挟持させることにより、これら化粧鋼板２３と押縁本体７１との両方に当接させている。また、屈曲部８２を、複層ガラス２９と押縁本体７１との相互間に配置し、押縁本体７１に当接させている。このように防火材８０を形成及び配置することで、防火材８０によって火災の炎を遮断することができ、火災の炎が複層ガラス２９の側方を通って防火断熱玄関ドア１の反対側に廻り込む可能性を低減することができる。
【００４６】
この防火材８０の具体的な材質は任意であるが、本実施の形態において、防火材８０は、押縁７０よりも高い耐火性を持つように、押縁７０を形成するアルミニウム合金（第１材）よりも融点が高い「第２材」によって形成されている。ただし、防火材８０を融点が高い第２材によって形成しても、防火材８０の固定先の部材の材質の融点が低い場合には、固定先が変形等することで、防火材８０の耐火機能が損なわれる可能性がある。そこで、本実施の形態においては、扉体２０の扉窓枠４３を、押縁７０を形成するアルミニウム合金（第１材）よりも融点が高い「第３材」によって形成することとした上で、この扉窓枠４３に対して防火材８０を固定するようにしている。このように防火材８０を形成する「第２材」や、扉窓枠４３を形成する「第３材」に関して、その具体的な種類は任意であり、相互に同一の材質としてもよく、あるいは相互に異なる材質としてもよいが、例えば、ステンレスや耐熱鋼等のスチールを採用することができる。
【００４７】
ただし、このように防火材８０をステンレスや耐熱鋼等のスチールによって形成した場合、スチールはアルミニウム合金に比べて質感において意匠性に劣るため、防火材８０が防火断熱玄関ドア１の外部に露出しないことが好ましい。そこで、本実施の形態においては、防火材８０の長手方向に対して直交する方向の寸法を、当該防火材８０が当接する押縁７０の同一方向の寸法より短くした上で、防火材８０を扉体２０と押縁７０の相互間に配置することで、防火材８０を押縁７０によって覆い、防火材８０が防火断熱玄関ドア１の外部に露出しないようにしている。
【００４８】
このように構成された防火材８０を固定するための具体的な構造は任意であり、例えば、専用の固定ネジや耐熱性両面テープ等によって防火材８０を扉窓枠４３に固定してもよい。しかしながら、本実施の形態においては、押縁７０を扉窓枠４３に固定するための固定ネジ４１を介して、防火材８０を扉窓枠４３に固定している。このように、共通の固定ネジ４１によって、押縁７０と防火材８０とを扉窓枠４３に固定することにより、これら押縁７０と防火材８０とを一括的に固定ネジ４１を介して扉窓枠４３に取り付けることができ、あるいは、押縁７０と防火材８０とを一括的に固定ネジ４１を介して扉窓枠４３から取り外すことができるので、専用の固定ネジ等によって防火材８０を扉窓枠４３に固定する場合に比べて、防火手段の施工が容易になる。
【００４９】
このように防火材８０を設けることで、押縁７０が変形等した場合においても、扉体２０から複層ガラス２９が脱落する可能性を低減することが可能になる。しかしながら、押縁７０の変形自体を抑制することができれば、複層ガラス２９を一層確実に固定することが可能になると考えられる。そこで、本実施の形態では、さらに防火材８０を押縁７０に当接するように固定する構造を採用することで、押縁７０の変形を抑制している。この当接の具体的な構造は任意であるが、本実施の形態では、防火材８０の複層ガラス２９側の端部８３を、押縁本体７１の気密材固定部７１ｂに内側から係脱自在に係止させている。特に、この気密材固定部７１ｂは複層ガラス２９の近傍位置に配置されているので、この気密材固定部７１ｂに防火材８０の端部８３を係止させることで、複層ガラス２９の近傍位置において防火材８０を押縁７０に当接させることができ、押縁７０が複層ガラス２９の近傍位置から遠ざかる方向に変形することを防火材８０によって効果的に抑制することが可能になる。
【００５０】
（膨張材）
このように構成された防火断熱玄関ドア１には、膨張材９０、９１が設けられている。これら膨張材９０、９１は、温度上昇によって膨張することにより防火材８０と複層ガラス２９との相互間の隙間を減少させる耐火性の膨張手段である。すなわち、防火材８０を設けた場合であっても、防火材８０を化粧鋼板２３や複層ガラス２９と完全に密着させることは困難であるため、これら防火材８０と化粧鋼板２３や複層ガラス２９との隙間から火災の炎が入り込み、複層ガラス２９の側方を通って防火断熱玄関ドア１の反対側に廻り込む可能性があるために好ましくない。そこで、本実施の形態においては、この隙間に予め膨張材９０、９１を配置しておき、火災の熱で膨張材９０、９１の温度が上昇した場合には、膨張材９０、９１を自動的に膨張させることで、この隙間を塞ぎ、火災の炎が廻り込む可能性を低減している。これら膨張材９０、９１としては、公知の耐火性の膨張材を使用することができ、例えば、フィブロック（登録商標）（積水化学工業株式会社製）のように、約２００℃の温度になった場合に厚み方向に１０倍程度膨張する、プラスチック系の耐火材を使用することができる。
【００５１】
これら膨張材９０、９１の具体的な配置位置は任意であるが、本実施の形態においては、膨張材９０、９１を、複層ガラス２９の全長に対応する長尺部材として形成した上で、膨張材９０を、防火材８０の屈曲部８２における複層ガラス２９側の面に配置し、膨張材９１を、固定枠６０の固定内枠６１における複層ガラス２９側の面に配置している。特に、膨張材９０を防火材８０の屈曲部８２に配置しているので、押縁７０や固定枠６０が火災の熱によって変形等した場合であっても、熱によって変形等する可能性が低い防火材８０によって膨張材９０を確実に所望の位置に保持することが可能になる。
【００５２】
なお、膨張材９０、９１の具体的な固定構造は任意であり、例えば、耐熱性の両面テープで屈曲部８２や固定内枠６１に貼付することができる。あるいは、図５、６に示すように、固定内枠６１を固定するための固定ネジ４２を膨張材９１に貫通させて扉窓枠４３にネジ込むようにしてもよく、この場合には、固定手段の共通化を図ることができると共に、両面テープで固定する場合に比べて膨張材９１の固定力を向上させることが可能になる。
【００５３】
（実施の形態１の効果）
これまで説明したように実施の形態１によれば、押縁７０を形成する第１材よりも融点が高い第２材によって形成された防火材８０によって、複層ガラス２９における押縁７０側の見付面の端部を抑えることができるので、防火断熱玄関ドア１の周囲で発生した火災の熱によって押縁７０が熱せられ、押縁７０が変形した場合であっても、扉体２０の開口部２８への複層ガラス２９の固定状態を防火材８０によって維持することができ、複層ガラス２９が押縁７０側から脱落する可能性を低減することができるので、防火断熱玄関ドア１の防火性能を向上させることが可能になる。また、防火材８０を複層ガラス２９の全長に対応する長尺部材として形成したので、複層ガラス２９の側方を介して、火災の炎が防火断熱玄関ドア１の反対側に廻り込むことを防止することができる。特に、防火材８０を押縁７０に当接するように防火断熱玄関ドア１に固定しているので、火災の熱によって熱せられることにより押縁７０が変形することを、この押縁７０に対する防火材８０の当接によって低減することができるので、防火断熱玄関ドア１の防火性能を一層向上させることが可能になる。
【００５４】
また、防火断熱玄関ドア１の周囲で発生した火災の熱によって押縁７０が熱せられる状況においては、この熱によって耐火性の膨張材９０が膨張して防火材８０と複層ガラス２９との相互間の隙間を減少させるため、この隙間を介して火災の炎が防火断熱玄関ドア１の反対側に廻り込む可能性を低減することができるので、防火断熱玄関ドア１の防火性能を一層向上させることが可能になる。
【００５５】
また、押縁７０を形成する第１材よりも融点が高い第３材によって形成された扉窓枠４３に防火材８０を固定したので、防火断熱玄関ドア１の周囲で発生した火災の熱によって押縁７０が熱せられ、押縁７０が変形した場合であっても、防火材８０の扉体２０に対する固定力を維持することができるので、防火断熱玄関ドア１の防火性能を一層向上させることが可能になる。
【００５６】
また、押縁７０を扉窓枠４３に固定するための固定ネジを介して、防火材８０を扉窓枠４３に固定したので、押縁７０と防火材８０とを一括的に固定ネジを介して扉窓枠４３に取り付けることができ、あるいは、押縁７０と防火材８０とを一括的に固定ネジを介して扉窓枠４３から取り外すことができるので、防火材８０の施工が容易になる。
【００５７】
また、防火材８０を押縁７０に係止させたので、例えば、防火断熱玄関ドア１における押縁７０とは反対側で火災が発し、この火災の熱によって押縁７０の温度が上昇して変形等しようとした場合においても、押縁７０に対する防火材８０の係止力によって押縁７０の変形を抑制することができ、防火断熱玄関ドア１の防火性能を一層向上させることが可能になる。特に、防火材８０を複層ガラス２９の近傍位置において押縁７０に係止させたので、押縁７０が複層ガラス２９から離れることを効果的に防止することができ、防火断熱玄関ドア１の防火性能を一層向上させることが可能になる。また、防火材８０を押縁７０に係止させることで、防火材８０が不用意に振動することを防止できるので、防火材８０が振動して押縁７０や複層ガラス２９に当たって振動音を発生させるようなことを防止することができる。
【００５８】
〔実施の形態２〕
次に、実施の形態２の具体的内容について説明する。この形態は、押縁側の防火手段に加えて、固定枠側にも第２防火手段を設けた形態である。なお、実施の形態２の構成は、特記する事項を除いて、実施の形態１の構成と略同一であり、実施の形態１の構成と略同一の構成については、必要に応じて、実施の形態１で用いたものと同一の符号及び／又は名称を付して、その説明を省略する。
【００５９】
図７は、実施の形態２に係る防火断熱玄関ドア４を示す図であり、図６に対応する部分を示す拡大図である。この防火断熱玄関ドア４は、概略的には、実施の形態１の防火断熱玄関ドア１から外装パネル３０を省略して構成されており、これに伴って、固定枠６０の外装パネル枠６３も省略されている。このように外装パネル３０を省略した場合、固定枠６０の固定外枠６２が屋外側に完全に露出することになる。従って、屋外側で火災が発生した場合には、この火災の熱によって固定外枠６２の温度が上昇して、固定外枠６２が変形することで、押縁７０の変形時と同様に、扉体２０の開口部２８に複層ガラス２９を固定するための固定力が低下し、扉体２０から複層ガラス２９が脱落し易くなることで、防火断熱玄関ドア４の防火性能が低下する可能性がある。
【００６０】
（第２防火材）
そこで、本実施の形態においては、温度上昇によって固定枠６０が変形した場合であっても、扉体２０から複層ガラス２９が脱落する可能性を低減するため、第２防火材１００を設けている。以下、この第２防火材１００について説明するが、特に説明なき事項については、第２防火材１００は防火材８０と同様に構成することができる。また、開口部２８の周縁のうち、左縁の周辺構造は上縁の周辺構造にも同様に適用することができ、下縁の周辺構造は複層ガラス２９を挟んで上縁の周辺構造と対称であり、右縁の周辺構造は複層ガラス２９を挟んで左縁の周辺構造と対称であるため、これらの説明は省略し、左縁の周辺構造のみを説明する（第２防火材１００及び後述する膨張材９２についても同じ）。
【００６１】
この第２防火材１００の具体的な構造及び形状は任意であるが、本実施の形態において、第２防火材１００は、複層ガラス２９の見込面に平行に配置される第１平板部１０１と、複層ガラス２９の見付面に平行に配置される第２平板部１０２とを一体に備えて、全体として「Ｌ字」状の縦断面形状となるように形成されている。このように形成された第２防火材１００の具体的な配置位置は任意であるが、本実施の形態においては、第２防火材１００が、複層ガラス２９における固定枠６０側の見付面の端部を覆うように配置されている。従って、固定枠６０が火災時の熱によって変形等した場合であっても、この複層ガラス２９がその固定枠６０側の見付面の端部において第２防火材１００によって支持されるので、扉体２０から複層ガラス２９が脱落する可能性を低減することができる。
【００６２】
この第２防火材１００は、複層ガラス２９を固定する目的のみを考慮すれば、短尺部材に形成した上で、複層ガラス２９に沿った複数箇所に相互に間隔を空けて並設するようにしてもよいが、火災の炎が第２防火材１００の相互間から複層ガラス２９の側方を通って防火断熱玄関ドア４の反対側に廻り込む可能性を低減するため、複層ガラス２９の全長に対応する長尺部材として形成している。具体的には、開口部２８の上縁に配置される第２防火材１００は、複層ガラス２９の左右方向に沿った全長に対応する長尺部材として形成されており、開口部２８の左側縁に配置される第２防火材１００は、複層ガラス２９の上下方向に沿った全長に対応する長尺部材として形成されている。そして、このように長尺部材として形成した第２防火材１００を、扉窓枠４３と複層ガラス２９との相互間の隙間を塞ぐように、これら扉窓枠４３から複層ガラス２９に至る位置（より詳細には、扉窓枠４３に隣接する固定内枠６１から複層ガラス２９に至る位置）に配置している。具体的には、第１平板部１０１を、固定内枠６１における複層ガラス２９側の面に当接する位置に配置し、第２平板部１０２を、第１平板部１０１の屋外側の端部から複層ガラス２９の屋外側の見付面の端部に至る位置に配置している。このように第２防火材１００を形成及び配置することで、第２防火材１００によって火災の炎を遮断することができ、火災の炎が複層ガラス２９の側方を通って防火断熱玄関ドア４の反対側に廻り込む可能性を低減することができる。
【００６３】
この第２防火材１００の具体的な材質は任意であるが、本実施の形態において、第２防火材１００は、固定枠６０よりも高い耐火性を持つように、固定枠６０を形成するアルミニウム合金（第４材）よりも融点が高い「第５材」によって形成されている。ただし、第２防火材１００を融点が高い「第５材」によって形成しても、第２防火材１００の固定先の部材の材質の融点が低い場合には、固定先が変形等することで、第２防火材１００の耐火機能が損なわれる可能性がある。そこで、本実施の形態においては、実施の形態１と同様に、扉体２０に設けられた扉窓枠４３を、固定枠６０を形成するアルミニウム合金（第４材）よりも融点が高い「第３材」によって形成することとした上で、この扉窓枠４３に対して第２防火材１００を固定するようにしている。このように第２防火材１００を形成する「第５材」や固定枠６０を形成する「第３材」に関して、その具体的な種類は任意であるが、例えば、防火材８０の材質（第２材）や扉窓枠４３の材質（第３材）と同様に、ステンレスや耐熱鋼等のスチールを採用することができる。
【００６４】
ただし、このように第２防火材１００をステンレスや耐熱鋼等のスチールによって形成した場合、スチールはアルミニウム合金に比べて質感において意匠性に劣るため、第２防火材１００が防火断熱玄関ドア４の外部に露出しないことが好ましい。そこで、本実施の形態においては、第２防火材１００を、固定枠６０と複層ガラス２９によって囲繞される空間部に収まる寸法で形成し、この空間部に配置することで、第２防火材１００を固定枠６０によって覆い、第２防火材１００が防火断熱玄関ドア４の外部に露出しないようにしている。
【００６５】
また、第２防火材１００の具体的な固定構造は任意であり、例えば、専用の固定ネジや耐熱性両面テープによって第２防火材１００を扉窓枠４３に固定することが考えられる。しかしながら、本実施の形態においては、固定枠６０を扉窓枠４３に固定するための固定ネジ４２を介して、第２防火材１００を扉窓枠４３に固定している。このように、共通の固定ネジ４２によって、固定枠６０と第２防火材１００とを扉窓枠４３に固定することにより、これら固定枠６０と第２防火材１００とを一括的に固定ネジ４２を介して扉窓枠４３に取り付けることができ、あるいは、固定枠６０と第２防火材１００とを一括的に固定ネジ４２を介して扉窓枠４３から取り外すことができるので、専用の固定ネジによって第２防火材１００を扉窓枠４３に固定する場合に比べて、防火手段の施工が容易になる。
【００６６】
このように第２防火材１００を設けることで、固定枠６０が変形等した場合においても、扉体２０から複層ガラス２９が脱落する可能性を低減することが可能になる。しかしながら、固定枠６０の変形自体を抑制することができれば、複層ガラス２９を一層確実に固定することが可能になると考えられる。そこで、本実施の形態では、第２防火材１００を固定枠６０に当接するように固定することにより、固定枠６０の変形を抑制している。この当接の具体的な構造は任意であるが、本実施の形態では、第２防火材１００の第１平板部１０１を固定枠６０の固定内枠６１の複層ガラス２９側の面に当接させると共に、第２防火材１００の第２平板部１０２を固定枠６０の気密材固定部６２ａに当接させている。特に、このように第２平板部１０２を気密材固定部６２ａに当接させることで、第２平板部１０２を複層ガラス２９の近傍位置において固定枠６０に当接させることができるので、複層ガラス２９から遠い位置で当接させる場合に比べて、一層効果的に、固定枠６０が複層ガラス２９から離れることを抑制することができる。
【００６７】
（膨張材）
このように構成された防火断熱玄関ドア４には、実施の形態１と同様の膨張材９０、９１に加えて、さらなる膨張材９２が設けられている。この膨張材９２は、温度上昇によって膨張することにより第２防火材１００と複層ガラス２９との相互間の隙間を減少させる耐火性の膨張手段であり、膨張材９０、９１と同様の耐火材料によって構成されている。
【００６８】
この膨張材９２の具体的な配置位置は任意であるが、本実施の形態においては、膨張材９２を、複層ガラス２９の全長に対応する長尺部材として形成した上で、第２防火材１００の第２平板部１０２における複層ガラス２９側の面に配置している。また、実施の形態１と同じ膨張材９１を、実施の形態１のように固定内枠６１における複層ガラス２９側の面ではなく、第２防火材１００における複層ガラス２９側の面に配置している。特に、このように膨張材９１、９２を第２防火材１００に配置しているので、押縁７０や固定枠６０が火災の熱によって変形等した場合であっても、熱によって変形等する可能性が低い第２防火材１００によって膨張材９１、９２を確実に所望の位置に保持することが可能になる。
【００６９】
なお、膨張材９１、９２の具体的な固定構造は任意であり、例えば、膨張材９１、９２を、耐熱性の両面テープで第２防火材１００に貼付することができる。あるいは、膨張材９１については、図７に示すように、固定内枠６１及び第２防火材１００を固定するための固定ネジ４２を膨張材９１に貫通させて扉窓枠４３にネジ込むようにしてもよく、この場合には、固定手段の共通化を図ることができると共に、両面テープで固定する場合に比べて膨張材９１の固定力を向上させることが可能になる。
【００７０】
（実施の形態２の効果）
これまで説明したように実施の形態２によれば、実施の形態１の効果に加えて、固定枠６０を形成する第４材よりも融点が高い第５材によって形成された第２防火材１００によって、複層ガラス２９における固定枠６０側の見付面の端部を、複層ガラス２９の全長に渡って抑えることができるので、防火断熱玄関ドア４の周囲で発生した火災の熱によって固定枠６０が熱せられ、固定枠６０が変形した場合であっても、扉体２０の開口部２８への複層ガラス２９の固定状態を第２防火材１００によって維持することができ、複層ガラス２９が固定枠６０側から脱落する可能性を低減することができるので、防火断熱玄関ドア４の防火性能を向上させることが可能になる。特に、第２防火材１００を固定枠６０に当接するように防火断熱玄関ドア４に固定しているので、火災の熱によって熱せられることにより固定枠６０が変形することを、この固定枠６０に対する第２防火材１００の当接によって低減することができる。
【００７１】
〔各実施の形態に対する変形例〕
以上、各実施の形態について説明したが、本発明の具体的な構成及び手段は、特許請求の範囲に記載した各発明の技術的思想の範囲内において、任意に改変及び改良することができる。以下、このような変形例について説明する。
【００７２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、防火断熱玄関ドア１、４の防火性能が従来と同等である場合にも、従来と同等の防火性能を従来と異なる手段によって得ることができている場合には、本願の課題は解決されている。
【００７３】
（各実施の形態の相互関係について）
各実施の形態に示した特徴の全部又は一部は、他の実施の形態に適用することができる。例えば、実施の形態１のように外装パネル３０を備えた形態に対して、実施の形態２のように第２防火材１００や膨張材９２を設けてもよい。あるいは、実施の形態１の押縁７０に対する防火材８０の係止構造と同様の構成を、実施の形態２の固定枠６０と第２防火材１００との相互間に適用することで、第２防火材１００を固定枠６０に係止させるようにしてもよい。
【００７４】
（押縁について）
上記各実施の形態では、押縁７０を固定ネジ４１を介して扉窓枠４３と固定枠６０の両方に固定した例を説明したが、扉窓枠４３と固定枠６０のいずれか一方に固定してもよく、あるいは、扉窓枠４３に代えて、扉体２０を構成する他の部分に固定するようにしてもよい。
【００７５】
（防火材又は第２防火材について）
防火材８０又は第２防火材１００の固定構造としては、固定ネジ４１、４２で固定する構造に限定されず、例えば、耐熱性の両面テープによって、防火材８０又は第２防火材１００を、化粧鋼板２３や押縁７０若しくは固定枠６０に貼付するようにしてもよい。
防火材８０又は第２防火材１００は、相互に別々に形成する以外に、相互に一体に形成してもよい。あるいは、扉窓枠４３等のように耐火性がある部材に対して、防火材８０や第２防火材１００を一体に形成するようにしてもよい。
防火材８０又は第２防火材１００の押縁７０や固定枠６０に対する当接構造としては、実施の形態１の如き係止構造以外にも、例えば、耐熱性の両面テープや固定ネジを用いて、防火材８０を押縁７０に当接状態で固定したり、第２防火材１００を固定枠６０に当接状態で固定したりしてもよい。
また、防火材８０や第２防火材１００は、必ずしも押縁７０や固定枠６０に対して当接させなくてもよく、例えば、押縁７０や固定枠６０に対して接触しない位置に配置するようにしてもよい。
【００７６】
（膨張材について）
防火材８０又は第２防火材１００によって所望の防火性能を得ることができる場合には、膨張材９０、９１、９２の一部又は全部を省略してもよい。
【００７７】
〔付記〕
上述した課題を解決し、目的を達成するために、付記１に記載の防火建具は、建具本体に形成した開口部に配置した被固定部を、前記建具本体における前記開口部の周縁に設けた固定枠と、前記建具本体又は前記固定枠に固定される押縁とにより、挟持するように構成された防火建具であって、温度上昇によって前記押縁が変形することにより前記被固定部が前記開口部から脱落することを防止する防火手段を備え、前記防火手段を、前記押縁を形成する第１材よりも融点が高い第２材によって、前記被固定部の全長に対応する長尺部材として形成し、前記防火手段を、前記被固定部における前記押縁側の見付面の端部を覆うように、前記建具本体に固定した、防火建具。
【００７８】
付記２に記載の防火建具は、付記１に記載の防火建具において、前記防火手段に、温度上昇によって膨張することにより当該防火手段と前記被固定部との相互間の隙間を減少させる耐火性の膨張手段を設けた。
【００７９】
付記３に記載の防火建具は、付記１又は２に記載の防火建具において、前記建具本体は、前記押縁を形成する前記第１材よりも融点が高い第３材によって形成された枠材を備え、前記防火手段を、前記建具本体の前記枠材に固定した。
【００８０】
付記４に記載の防火建具は、付記１から３のいずれか一項に記載の防火建具において、前記防火手段を、前記建具本体と前記押縁との相互間において、前記押縁を前記建具本体に固定するための固定手段を介して、前記建具本体に固定した。
【００８１】
付記５に記載の防火建具は、付記１から４のいずれか一項に記載の防火建具において、前記防火手段を、前記被固定部の近傍位置において、前記押縁に係止させた。
【００８２】
付記６に記載の防火建具は、付記１から５のいずれか一項に記載の防火建具において、温度上昇によって前記固定枠が変形することにより前記被固定部が前記開口部から脱落することを防止する第２防火手段を備え、前記第２防火手段を、前記固定枠を形成する第４材よりも融点が高い第５材によって、前記被固定部の全長に対応する長尺部材として形成し、前記第２防火手段を、前記被固定部における前記固定枠側の見付面の端部を覆うように、かつ、前記固定枠に当接するように、前記建具本体に固定した。
【００８３】
付記１に記載の防火建具によれば、押縁を形成する第１材よりも融点が高い第２材によって形成された防火手段によって、被固定部における押縁側の見付面の端部を抑えることができるので、防火建具の周囲で発生した火災の熱によって押縁が熱せられ、押縁が変形等した場合であっても、建具本体の開口部への被固定部の固定状態を防火手段によって維持することができ、被固定部が押縁側から脱落する可能性を低減することができるので、防火建具の防火性能を向上させることが可能になる。また、防火手段を被固定部の全長に対応する長尺部材として形成したので、被固定部の側方を介して、火災の炎が防火建具の反対側に廻り込むことを防止することができる。
【００８４】
また、付記２に記載の防火建具によれば、防火建具の周囲で発生した火災の熱によって押縁が熱せられる状況においては、この熱によって耐火性の膨張手段が膨張して防火手段と前記被固定部との相互間の隙間を減少させるため、この隙間を介して火災の炎が防火建具の反対側に廻り込む可能性を低減することができるので、防火建具の防火性能を一層向上させることが可能になる。
【００８５】
また、付記３に記載の防火建具によれば、押縁を形成する第１材よりも融点が高い第３材によって形成された枠材に防火手段を固定したので、防火建具の周囲で発生した火災の熱によって押縁が熱せられ、押縁が変形等した場合であっても、建具本体に対する防火手段の固定構造を維持することができるので、防火建具の防火性能を一層向上させることが可能になる。
【００８６】
また、付記４に記載の防火建具によれば、押縁を建具本体に固定するための固定手段を介して防火手段を建具本体に固定したので、押縁と防火手段とを一括的に固定手段を介して建具本体に取り付けることができ、あるいは、押縁と防火手段とを一括的に固定手段を介して建具本体から取り外すことができるので、防火手段の施工が容易になる。
【００８７】
また、付記５に記載の防火建具によれば、防火手段を押縁に係止させたので、例えば、防火建具における押縁とは反対側で火災が発し、この火災の熱によって押縁の温度が上昇して変形等しようとした場合においても、押縁に対する防火手段の係止力によって押縁の変形を抑制することができ、防火建具の防火性能を一層向上させることが可能になる。特に、防火手段を被固定部の近傍位置において押縁に係止させたので、押縁が被固定部から離れることを効果的に防止することができ、防火建具の防火性能を一層向上させることが可能になる。また、防火手段を押縁に係止させることで、防火手段が不用意に振動することを防止でき、防火手段が振動して押縁や被固定部に当たって振動音を発生させるようなことを防止することができる。
【００８８】
また、付記６に記載の防火建具によれば、固定枠を形成する第４材よりも融点が高い第５材によって形成された第２防火手段によって、被固定部における固定枠側の見付面の端部を、被固定部の全長に渡って抑えることができるので、防火建具の周囲で発生した火災の熱によって固定枠が熱せられ、固定枠が変形等した場合であっても、建具本体の開口部への被固定部の固定状態を第２防火手段によって維持することができ、被固定部が固定枠側から脱落する可能性を低減することができるので、防火建具の防火性能を向上させることが可能になる。
【符号の説明】
【００８９】
１、４  防火断熱玄関ドア
２、２８  開口部
３  躯体
１０  枠体
１１  縦枠（戸先側縦枠）
１１ａ、１２ａ  外側縦枠
１１ｂ、１２ｂ  内側縦枠
１１ｃ、１２ｃ、１３ｃ  断熱形材
１２  縦枠（戸尻側縦枠）
１３  上枠
１３ａ  外側上枠
１３ｂ  内側上枠
１４  下枠
２０  扉体
２１  扉枠
２２、２３、３１  化粧鋼板
２４、３２  断熱材
２５  蝶番
２６  把手
２７  シリンダ錠
２７ａ  サムターン
２９  複層ガラス
２９ａ  透明ガラス
２９ｂ  網入りガラス
２９ｃ  断熱空間部
３０  外装パネル
４０  扉窓
４１、４２  固定ネジ
４３  扉窓枠
６０、６０Ａ、６０Ｂ  固定枠
６１  固定内枠
６２  固定外枠
６２ａ、７１ｂ  気密材固定部
６２ｂ、７１ｃ  気密材
６３  外装パネル枠
７０、７０Ａ、７０Ｂ  押縁
７１  押縁本体
７１ａ  スリット
７２  蓋部材
７２ａ  係止爪
８０  防火材
８１  平板部
８２  屈曲部
８３  端部
９０、９１、９２  膨張材
１００  第２防火材
１０１  第１平板部
１０２  第２平板部
【図１】
2014214545.tif 000003
【図２】
2014214545.tif 000004
【図３】
2014214545.tif 000005
【図４】
2014214545.tif 000006
【図５】
2014214545.tif 000007
【図６】
2014214545.tif 000008
【図７】
2014214545.tif 000009